(57)【特許請求の範囲】
【請求項１】
ピアノ本体の下端部に取り付けられ、キャスターをそれぞれ有し、前記ピアノ本体を支持する前後の転倒防止金具と、
前記ピアノ本体の下端部に取り付けられるとともに、前側の前記転倒防止金具の前記キャスターよりも前方に配置され、前記ピアノ本体が前方に傾いたときに、当該ピアノ本体を、前記前側の転倒防止金具のキャスターとともに支持するキャスターと、
を備えていることを特徴とするアップライトピアノの転倒防止装置。
【請求項２】
前記キャスターの下端が、前記前後の転倒防止金具のキャスターの下端間を結ぶ線よりも若干上側に配置されていることを特徴とする、請求項１に記載のアップライトピアノの転倒防止装置。
【請求項３】
前記前後の転倒防止金具が互いに一体に構成され、前記ピアノ本体を載置した状態で支持していることを特徴とする、請求項１または２に記載のアップライトピアノの転倒防止装置。
【発明の詳細な説明】
【０００１】
【発明の属する技術分野】
本発明は、アップライトピアノの前後方への転倒を防止するためのアップライトピアノの転倒防止装置に関する。
【０００２】
【従来の技術】
一般に、アップライトピアノは、弦が上下方向に張られるため、奥行と比べて高さがはるかに大きい縦長の形状を有するとともに、フレームや支柱などの重量部品が後方に配置されていて、重心が後側に偏っているため、前後方向、特に後方に転倒しやすいという特性を有している。
【０００３】
このようなアップライトピアノは、家庭などで使用される場合には、壁を背にして設置されることが多いので、後方に少し傾けば壁に当たって、それ以上の傾きが阻止されるため、後方への転倒はあまり問題にならない。しかし、アップライトピアノがホールや学校の講堂などに設置される場合には、壁を背にしないで設けられることが多いため、後方への転倒が問題になる。この問題は、ピアノの設置条件が良くない場合、例えば、床の平滑性が悪いためにピアノが後方に傾いて設置されるような場合に、特に顕著になる。このような後方へのアップライトピアノの転倒の問題に対処するため、従来においては、例えば、ピアノを設置する床の位置に固定金具などを取り付け、この固定金具でピアノを固定することによって、前後方向、特に後方へのピアノの転倒を防止するようにしている。
【０００４】
【発明が解決しようとする課題】
しかし、上述した従来の転倒防止方法は、ピアノを床に固定するものであるため、固定金具などを床に取り付けるための格別の工事を床に対して行う必要があり、工事費がかさむとともに、ピアノを一旦、固定・設置した後は、ピアノの移動が困難で、設置位置を変更することが容易ではない。
【０００５】
本発明は、このような課題を解決するためになされたものであり、ピアノを任意の位置に容易に設置でき、単純かつ安価な構成で、ピアノの転倒を前後方で同等に防止することができるアップライトピアノの転倒防止装置を提供することを目的としている。
【００１１】
【課題を解決するための手段】
上記目的を達成するため、本発明のアップライトピアノの転倒防止装置は、ピアノ本体の下端部に取り付けられ、キャスターをそれぞれ有し、ピアノ本体を支持する前後の転倒防止金具と、ピアノ本体の下端部に取り付けられるとともに、前側の転倒防止金具のキャスターよりも前方に配置され、ピアノ本体が前方に傾いたときに、ピアノ本体を、前側の転倒防止金具のキャスターとともに支持するキャスターと、を備えていることを特徴としている。
【００１２】
この転倒防止装置では、常時は、ピアノ本体を、ピアノ本体の下端部に取り付けられた前後の転倒防止金具のキャスターで支持するとともに、ピアノ本体を後方に転倒させようとする転倒モーメントに対しては、後側の転倒防止金具が抵抗することによって、後方へのピアノの転倒を防止する。一方、ピアノ本体に前方への転倒モーメントが作用し、ピアノ本体が前方に傾いた場合には、ピアノ本体の下端部に取り付けられた最前のキャスターと前側の転倒防止金具のキャスターとで、ピアノ本体を支持するので、ピアノの転倒を前後方で同等に防止することができる。
【００１３】
この場合、キャスターの下端が、前後の転倒防止金具のキャスターの下端間を結ぶ線よりも若干上側に配置されていることが好ましい。
【００１４】
この構成によれば、常時は、最前のキャスターが床から浮いた状態に保たれることにより、ピアノ本体を、前後の転倒防止金具のキャスターによる２点支持で前後方向にぐらつきなく安定して支持することができる。また、ピアノの移動を、最前のキャスターに邪魔されることなく、円滑に行うことができる。また、ピアノ本体が前方に若干傾いた場合には、後側の転倒防止金具のキャスターが床から浮いた状態になり、ピアノ本体を、最前のキャスターと前側の転倒防止金具のキャスターによる２点支持で確実に支持でき、前方へのピアノの転倒を確実に防止することができる。
【００１５】
これらの場合、前後の転倒防止金具が互いに一体に構成され、ピアノ本体を載置した状態で支持していることが好ましい。
【００１６】
この構成では、前後の転倒防止金具が一体に構成されることにより、あらかじめ組み立てておくことができ、ピアノ本体への組付けをより容易に行うことができる。また、一体の転倒防止金具にピアノ本体を載置した状態で支持するので、ピアノ本体の支持および移動を、安定して且つ円滑に行うことができる。
【００１７】
【発明の実施の形態】
以下、本発明の好ましい実施形態を、図面を参照しながら、詳細に説明する。図１〜図３は、本発明の第１実施形態による転倒防止装置、およびこれを組み込んだアップライトピアノを示している。
【００１８】
図１および図３に示すように、アップライトピアノ１は、支柱組立品２と、ケース部品として、左右一対の親板３、３、腕木４、４、妻土台５、５、棚受柱６、６（親板以外は１個のみ図示）、および鍵盤蓋７、屋根後８や屋根前９などを備えている。支柱組立品２は、アップライトピアノ１のバックの一部を構成するものであり、図１に示すように、上下方向の２本の外支柱２ａおよび４本の中支柱２ｂや、左右方向の土台２ｃなどを、枠状に組み立てることによって、形成されている。また、これらの部品などで囲まれた内部空間には、図示しないフレーム、響板、弦、鍵盤やアクションなどが設けられており、全体として縦長のピアノ本体１０が構成されている。
【００１９】
本発明に係る転倒防止装置１１は、各左右一対の前キャスター１２、１２、後キャスター１３、１３（いずれも１個のみ図示）、および転倒防止金具１４、１４で構成されている。各前キャスター１２は、各妻土台５の下面に転動自在に取り付けられ、各後キャスター１３は、土台２ｃの下面の左右両端部に転動自在に取り付けられていて、ピアノ本体１０は、これら計４つの前後のキャスター１２、１３により、例えば床Ｆ上に移動自在に支持されている（図３参照）。
【００２０】
図２に示すように、各転倒防止金具１４は、各外支柱２ａの下端部に取り付けられており、金具本体１５と、金具本体１５に取り付けられたキャスター１６で構成されている。金具本体１５は、例えば鋼板から成り、断面Ｌ形に形成されるとともに、Ｌ形の２辺間には断面三角形の補強リブ１５ａが設けられている。金具本体１５は、Ｌ形の一方の辺の部分が、支柱組立品２の背面に外支柱２ａの下端部から土台２ｃにわたって、ねじ止めされている。
【００２１】
キャスター１６は、金具本体１５の他方の辺の下面に転動自在に取り付けられている。また、図３に示すように、キャスター１６は、その下端が、前後のキャスター１２、１３の下端間を結ぶ線よりも若干上側になるように配置されており、それにより、ピアノ本体１０を前後のキャスター１２、１３で床Ｆ上に支持させたときに、キャスター１６が床Ｆから浮いた状態になり、床Ｆとの間に所定距離の若干の隙間Ｇが形成されるようになっている。
【００２２】
次に、上記構成の転倒防止装置１１の動作を説明する。図３に示すように、ピアノ本体１０は、常時は、前後のキャスター１２、１３によって、床Ｆ上に支持されている。また、上述したように、この状態では、転倒防止装置１１のキャスター１６と床Ｆとの間に、所定距離の若干の隙間Ｇが形成されている。したがって、この状態において、アップライトピアノ１を、前後のキャスター１２、１３によって、２点支持で前後方向にぐらつきなく安定して支持できるとともに、キャスター１６に邪魔されることなく、床Ｆ上を円滑に移動させることができる。
【００２３】
このように、アップライトピアノ１は、通常のアップライトピアノと同様に、前後のキャスター１２、１３を用いて移動させることにより、所望の位置に設置される。次いで、この設置状態において、ピアノ本体１０にこれを前方へ転倒させるようなモーメントが作用した場合には、この転倒モーメントに対して、前キャスター１２が抵抗することによって、前方へのアップライトピアノ１の転倒を防止する。
【００２４】
一方、ピアノ本体１０に後方への転倒モーメントが作用した場合には、ピアノ本体１０が後方に若干傾くことにより、前キャスター１２が床Ｆから浮いた状態になり、ピアノ本体１０は、後キャスター１３と転倒防止金具１４のキャスター１６で支持されるようになる。そして、ピアノ本体１０がそれ以上転倒しようとしても、この転倒モーメントに対して、転倒防止金具１４が抵抗するので、それにより、後方へのアップライトピアノ１の転倒を確実に防止することができる。
【００２５】
以上のように、ピアノ本体１０に前方への転倒モーメントが作用した場合には、前キャスター１２により、後方への転倒モーメントが作用した場合には、後キャスター１３と転倒防止金具１４により、ピアノ本体１０を支持するので、アップライトピアノ１の転倒を前後方で同等に防止することができる。その結果、ピアノの設置条件が良くない場合、例えば、床Ｆの平滑性が悪いためにピアノ本体１０が後方に傾いて設置されるような場合でも、後方へのアップライトピアノ１の転倒を確実に防止することができる。
【００２６】
また、本実施形態の転倒防止装置１１は、アップライトピアノに通常、設けられる前後のキャスター１２、１３に加えて、ピアノ本体１０に転倒防止金具１４を付加しただけで構成されるので、床Ｆへの工事はまったく不要で、非常に構成が単純で安価であるとともに、ピアノの移動性が確保されることにより、アップライトピアノ１の設置位置を容易に変更することができる。
【００２７】
図４は、本発明の第２実施形態による転倒防止装置２１を示している。この転倒防止装置２１は、前述した第１実施形態の転倒防止装置１１と比較し、転倒防止金具の構成のみが異なるものである。すなわち、この転倒防止金具２２は、第１実施形態の転倒防止金具１４と同様、左右一対で構成されており、各転倒防止金具２２は、金具本体２３と、これに取り付けられたクッション２４で構成されている。
【００２８】
金具本体２３は、例えば１枚の鋼板を折り曲げることにより形成したものであり、支柱組立品２の背面に中支柱２ｂの下端部から土台２ｃにわたってねじ止めされた取付部２５と、取付部２５の一側端から後方および下方に湾曲して延びるアーム部２６と、アーム部２６の下端から水平に延びる支持部２７とによって構成されている。
【００２９】
クッション２４は、床Ｆの損傷などを防止するためのものであり、フェルト、硬質ゴムやウレタン樹脂などで構成され、金具本体２３の支持部２７の下面に取り付けられている。また、クッション２４の下面の高さが、前後のキャスター１２、１３の下端間を結ぶ線よりも若干上側になるように配置されていて、ピアノ本体１０を前後のキャスター１２、１３で床Ｆ上に支持させたときに、クッション２４床Ｆとの間に所定距離の若干の隙間Ｇが形成されることは、第１実施形態と同様である。
【００３０】
したがって、本実施形態の転倒防止装置２１によっても、第１実施形態と基本的に同じ効果を得ることができる。すなわち、アップライトピアノ１を、前後のキャスター１２、１３によって、安定して支持でき、かつ転倒防止金具２２に邪魔されることなく、床Ｆ上を円滑に移動させることができる。また、ピアノ本体１０に前方への転倒モーメントが作用した場合には、前キャスター１２により、後方への転倒モーメントが作用した場合には、後キャスター１３と転倒防止金具２２により、アップライトピアノ１の転倒を前後方で同等に防止することができる。
【００３１】
なお、上述した第２実施形態では、転倒防止金具２２を支柱組立品２の中支柱２ｂに取り付けているが、これを、第１実施形態と同様、外支柱２ａに取り付けるようにしてもよい。
【００３２】
図５は、本発明の第３実施形態による転倒防止装置３１を示している。この転倒防止装置３１は、前述した第１実施形態の転倒防止装置１１と比較し、全体としてデザイン化を進めたものである。すなわち、この転倒防止装置３１の転倒防止金具３２もまた、左右一対で対称に構成されており（右側のもののみ図示）、各転倒防止金具３２は、金具本体３３、キャスター３４、金具カバー３５、およびキャスターカバー３６で構成され、キャスター３４以外は鋼製のものである。
【００３３】
金具本体３３は、鉛直板部３３ａと、その後端から後方に延びる水平板部３３ｂとから成るＬ形の側断面形状を有している。鉛直部板３３ａには上下３個の座ぐり孔３７が形成されていて、金具本体３３は、この座ぐり孔３７を介して、支柱組立品２の外支柱２ａまたは中支柱２ｂにねじ止めされている。また、金具本体３３の鉛直部３３ａの上側両角部には、Ｒが付けられている。金具本体３３の水平板部３３ｂは、鉛直部板３３ａの後端から後方に延びるとともに、内方にも延びていて、金具本体３３は後方から見ても、Ｌ形形状になっている。また、水平板部３３ｂは、前半部が矩形で、後半部がそれに連なる半円形の平面形状になっている。
【００３４】
金具カバー３５は、鋼製のブロック状のものであり、金具本体３３の水平板部３３ｂと同じ平面形状を有し、その上面にねじ止めされている。また、金具カバー３５の縁部にはＲが付けられている。キャスターカバー３６は、金具本体３３の水平板部３３ｂと同じ平面形状を有し且つ底側が開放しており、水平板部３３ｂの下面の縁部に沿って、ワッシャ（図示せず）などを介してねじ止めされていて、キャスター３４をその下端部を除いて覆うようになっている。
【００３５】
したがって、本実施形態の転倒防止装置３１によっても、前述した２つの実施形態と同様に、アップライトピアノの転倒を前後方で同等に防止することができる。また、キャスター３４がキャスターカバー３６で、金具本体３３の水平板部３３ｂが金具カバー３５で、それぞれ覆われ、外部からはほとんど見えないとともに、金具本体３３や金具カバー３５にＲが付けられていることで、柔らかい好ましい印象を与えることから、第１および第２実施形態と比較して、より良い美観を得ることができる。また、金具カバー３５およびキャスターカバー３６がＲ付きであることで、これらに触れた場合の安全性も確保される。
【００３６】
なお、これまでに述べた第１〜第３実施形態では、転倒防止金具１４、２２、３２を支柱組立品２の背面に取り付けているが、他の適当な部位に取り付けてもよい。また、各実施形態ともに、アップライトピアノ１が前後のキャスター１２、１３を有するタイプの例であるが、これらのキャスター１２、１３の両方または一方を有しないアップライトピアノに、転倒防止金具１４、２２、３２を取り付けることも、もちろん可能である。
【００３７】
図６および図７は、本発明の第４実施形態による転倒防止装置４１を示している。この転倒防止装置４１は、すでに説明した３つの実施形態では転倒防止金具が支柱組立品２の外支柱２ａまたは中支柱２ｂ、すなわちピアノ本体１０の背面に取り付けられるのに対し、転倒防止金具がピアノ本体１０の底面に取り付けられ、この転倒防止金具でピアノ本体１０を常時、支持する点が異なるものである。この転倒防止装置４１では、転倒防止金具が、後転倒防止金具４２と、前転倒防止金具４３で構成されている。
【００３８】
後転倒防止金具４２は、金具本体４４、キャスター４５、金具カバー４６、およびキャスターカバー４７によって構成されている。金具本体４４は、矩形の前水平板部４４ａ、前水平板部４４ａの後端から立ち上がる鉛直板部４４ｂ、および鉛直板部４４ｂの上端から後方に延びる後水平板部４４ｃで構成されている。金具本体４４は、前水平板部４４ａの前側の２個所でピアノ本体１０の底板（図示せず）に、後ろ側の１個所でスペーサ４８を介して支柱組立品２の土台２ｃに、図示しないタッピンねじによってそれぞれねじ止めされている。また、金具本体４４の後水平板部４４ｃは、図５に示した第３実施形態の金具本体３３の水平板部３３ｂと同じ平面形状に形成されている。一方、金具カバー４６およびキャスターカバー４７もまた、第３実施形態の金具カバー３５およびキャスターカバー３６とそれぞれ同様に構成されていて、金具本体４４の後水平板部４４ｃの上面および下面に、それぞれねじ止めされている。キャスター４５は、転動かつ旋回自在のものであり、スペーサ４９を介して、後水平板部４４ｃの下面にねじ止めされている。
【００３９】
一方、前転倒防止金具４３は、土台２ｃに設けられる第１〜第３実施形態の後キャスター１３に代わって、ピアノ本体１０の底板の前部に設けられるものであり、金具本体５０、キャスター５１および金具カバー５２によって構成されている。金具本体５０は、後転倒防止金具４２の金具本体４４とは前後対称に形成されており、すなわち矩形の後水平板部５０ａ、その前端から立ち上がる鉛直板部５０ｂ、およびその上端から前方に延びる前水平板部５０ｃで構成されており、後水平板部５０ａの２個所で、ピアノ本体１０の底板に、図示しないタッピンねじによってねじ止めされている。キャスター５１は、転動かつ旋回自在で、回り止め５３付きのものであり、スペーサ４９を介して、前水平板部５０ｃの下面にねじ止めされている。また、金具カバー５２は、後転倒防止金具４２の金具カバー４６と前後対称の平面形状を有し、前水平板部５０ｃの上面にねじ止めされている。なお、前転倒防止金具４３の前方に位置する妻土台５（同図には図示せず）の下面には、前述した３つの実施形態と同様、前キャスター１２が転動自在に取り付けられている。
【００４０】
以上の構成の転倒防止装置４１によれば、後転倒防止金具４２のキャスター４５と、前転倒防止金具４３のキャスター５１が、それぞれスペーサ４９を介して取り付けられている結果、常時は、ピアノ本体１０が、これらのキャスター４５、５１を介して床Ｆに支持されるとともに、妻土台５に取り付けた前キャスター１２は、４ｍｍ程度の若干の隙間Ｇだけ、床Ｆから浮いた状態になる。
【００４１】
したがって、本実施形態では、アップライトピアノ１を、キャスター４５、５１を有する前後の転倒防止金具４２、４３に載置した状態で、安定して支持でき、かつ前キャスター１２に邪魔されずに、旋回自在のキャスター４５、５１によって、床Ｆ上をより円滑に移動させることができる。また、ピアノ本体１０に前方への転倒モーメントが作用した場合には、前キャスター１２が床Ｆに着地して、前キャスター１２と前転倒防止金具２２でピアノ本体１０を支持するので、アップライトピアノ１の転倒を前後方で同等に防止することができる。
【００４２】
図８は、本発明の第５実施形態による転倒防止装置６１を示している。この転倒防止装置６１は基本的に、第４実施形態の後転倒防止金具４２と前転倒防止金具４３を一体化して、転倒防止金具６２を構成し、この転倒防止金具６２上にピアノ本体１０を載置して支持させたものである。すなわち、この転倒防止金具６２は、金具本体６３と、金具本体６３の後部および前部にそれぞれ取り付けた後転倒防止金具６４および前転倒防止金具６５で構成されている。
【００４３】
金具本体６３は、前後方向に延びる水平板部６３ａ、水平板部６３ａの後端から鉛直板部６３ｂを介して後方に延びる後水平板部６３ｃを備えている。金具本体６３は、水平板部６３ａの中央部の２個所でピアノ本体１０の底板（図示せず）に、後ろ側の１個所でスペーサ４８を介して支柱組立品２の土台２ｃに、前側の２個所でスペーサ６６を介して妻土台５に、図示しないタッピンねじによってそれぞれねじ止めされている。
【００４４】
後転倒防止金具６４は、第４実施形態の後転倒防止金具４２と同様に構成され、金具本体６３の後水平板部６３ｃに同様に取り付けられている。また、図８（ａ）に示すように、金具本体６３は、水平板部６３ａの前部が内方に逃げるように延びており、この部分の内端から鉛直板部６３ｄを介して内方に延びる前水平板部６３ｅをさらに備えている。前転倒防止金具６５は、第４実施形態の前転倒防止金具４３と同様に構成され、前水平板部６３ｅに同様に取り付けられている。なお、妻土台５に取り付けた前キャスター１２が、若干の隙間だけ床Ｆから浮いた状態になることは、第４実施形態と同様である。
【００４５】
したがって、本実施形態によれば、ピアノ本体１０を転倒防止金具６２上に載置した状態で、第４実施形態と同様に、転倒防止金具４２、４３によって、安定して支持でき、かつ床Ｆ上を円滑に移動させることができるとともに、アップライトピアノ１の転倒を前後方で同等に防止することができる。
【００４６】
なお、各実施形態で示した転倒防止金具は、あくまで例示であり、他の適当な構成や形状のものを採用することが可能である。その他、本発明の趣旨の範囲内で、細部の構成を変更することができる。
【００４７】
【発明の効果】
以上詳述したように、本発明のアップライトピアノの転倒防止装置は、ピアノを任意の位置に容易に設置でき、単純かつ安価な構成で、ピアノの転倒を前後方で同等に防止することができるなどの効果を有している。
【図面の簡単な説明】
【図１】本発明の第１実施形態による転倒防止装置を組み込んだアップライトピアノの後方からの斜視図である。
【図２】図１の転倒防止装置の転倒防止金具の拡大斜視図である。
【図３】図１に対応する側面図である。
【図４】本発明の第２実施形態による転倒防止装置の転倒防止金具を示す拡大斜視図である。
【図５】本発明の第３実施形態による転倒防止装置の転倒防止金具の側面図および背面図である。
【図６】本発明の第４実施形態による転倒防止装置の後転倒防止金具の平面図および側面図である。
【図７】本発明の第４実施形態による転倒防止装置の前転倒防止金具の平面図および側面図である。
【図８】本発明の第５実施形態による転倒防止装置の転倒防止金具の平面図および側面図である。
【符号の説明】
１  アップライトピアノ
１０  ピアノ本体
１１  転倒防止装置
１２  前キャスター
１３  後キャスター
１４  転倒防止金具
２１    転倒防止装置
２２    転倒防止金具
３１  転倒防止装置
３２    転倒防止金具
４１  転倒防止装置
４２  後転倒防止金具
４３  前転倒防止金具
４５  後転倒防止金具のキャスター
５１  前転倒防止金具のキャスター
７１  転倒防止装置
７２  転倒防止金具
Ｇ  隙間
【図１】
0003618523.tif 000002
【図２】
0003618523.tif 000003
【図３】
0003618523.tif 000004
【図４】
0003618523.tif 000005
【図５】
0003618523.tif 000006
【図６】
0003618523.tif 000007
【図７】
0003618523.tif 000008
【図８】
0003618523.tif 000009